(57)【特許請求の範囲】
【請求項１】
本体筒部と、上記本体筒部の先端開口部に上記本体筒部に対して相対回転自在に取り付けられる先筒部と、先端部に棒状化粧料保持部が形成され上記両筒部の内孔内に進退自在に配設される棒状体とを備え、上記本体筒部の底部から筒体を突設し、この筒体に、ブラシを保持するブラシ保持具もしくはチップを取り付け可能に構成し、上記ブラシを、ブラシ部と、このブラシ部を保持する保持棒とで構成し、上記ブラシ保持具に、その下端面から上方に向かって延びる孔部を形成し、この孔部に、保持棒を内嵌状に固定し、上記ブラシ保持具の下端面から外部に突出する上記保持棒の部分にブラシ部を保持し、上記本体筒部の底部に、本体筒部の内孔と筒体の内孔とを連通する貫通孔を形成してこの貫通孔の内周部に係合部を形成し、上記ブラシ保持具の上端部外周面に、上記貫通孔の係合部に回り止め状に係合する被係合部を形成し、上記筒体にブラシを取り付けた状態では、上記貫通孔の係合部にブラシ保持具の被係合部を係合させ、かつ上記ブラシ保持具の下端部を筒体の内孔の下端部内に収容して上記ブラシ保持具の下端部外周面を筒体の内孔の下端部内周面に密着させるとともに、上記ブラシ保持具の下端面と筒体の下端面とが略面一となるように構成し、上記筒体にチップを取り付けた状態では、上記筒体からチップの一部を外部に突出させ、上記筒体の内孔にチップの他部を固定するように構成したことを特徴とする棒状化粧料容器。
【請求項２】
上記棒状体が下死点に到達した状態で上記棒状体の底面に当接してこれを受け止めるストッパー部を上記本体筒部の底部に形成し、上記ストッパー部に貫通孔が形成されている請求項１記載の棒状化粧料容器。
【発明の詳細な説明】
【０００１】
【発明の属する技術分野】
本発明は、アイペンシル（アイライナー用，アイブロー用等），口紅，リップクリーム等の棒状化粧料を容器から繰り出して使用する棒状化粧料容器に関するものである。
【０００２】
【従来の技術】
従来から、アイライナー，アイブロー等の棒状化粧料を繰り出し可能に収容するアイペンシル等の棒状化粧料容器として、図４４に示すような棒状化粧材繰出容器が提案されている（特開平１１−１４６８０８号公報）。この棒状化粧材繰出容器は、容器本体筒５１と、この容器本体筒５１に相対回転自在に連結された先筒５２と、これら両筒５１，５２内に軸方向に進退可能に収められた押棒５３とを備え、この押棒５３の先端に棒状化粧材５４を保持している。また、上記容器本体筒５１の内孔５１ａの内周面に、ラセン溝５５ａが形成されたメネジ部５５を突設し、上記押棒５３の外周面に、上記メネジ部５５のラセン溝５５ａと螺合する一群の突起５６を突設している。そして、上記容器本体筒５１に対し先筒５２を相対回転させることにより、押棒５３およびこの押棒５３の先端に保持している棒状化粧材５４を進退させるようにしている。
【０００３】
このような棒状化粧料容器には、その後部に塗布具を取り付けたものも多く出回っている。例えば、アイライナーペンシルでは、アイライナーが収容されたペンシル型の容器の後部に、塗布具としてスポンジチップが取り付けられており、アイブローペンシルでは、アイブローが収容されたペンシル型の容器の後部に、塗布具としてスクリュータイプのブラシが取り付けられている。
【０００４】
【発明が解決しようとする課題】
しかしながら、上記のように、塗布具としてスポンジチップ，ブラシ等が取り付けられているアイライナーペンシル，アイブローペンシル等のアイペンシルでは、アイライナー，アイブロー等の棒状化粧料が同じ形状のペンシル型の容器に収容されていても、スポンジチップ，ブラシ等のサイズがそれぞれ異なっている（すなわち、スポンジチップよりブラシの保持棒のほうが小径である）ため、上記容器の後部に設けた塗布具取り付け部の形状が異なっている。したがって、これら塗布具取り付け部は、それぞれ別体に作製せざるを得なかったのが実情である。
【０００５】
本発明は、このような事情に鑑みなされたもので、チップ用の取り付け部とブラシ用の取り付け部を別体に作製する必要のない棒状化粧料容器の提供をその目的とする。
【０００６】
【課題を解決するための手段】
上記の目的を達成するため、本発明の棒状化粧料容器は、本体筒部と、上記本体筒部の先端開口部に上記本体筒部に対して相対回転自在に取り付けられる先筒部と、先端部に棒状化粧料保持部が形成され上記両筒部の内孔内に進退自在に配設される棒状体とを備え、上記本体筒部の底部から筒体を突設し、この筒体に、ブラシを保持するブラシ保持具もしくはチップを取り付け可能に構成し、上記ブラシを、ブラシ部と、このブラシ部を保持する保持棒とで構成し、上記ブラシ保持具に、その下端面から上方に向かって延びる孔部を形成し、この孔部に、保持棒を内嵌状に固定し、上記ブラシ保持具の下端面から外部に突出する上記保持棒の部分にブラシ部を保持し、上記本体筒部の底部に、本体筒部の内孔と筒体の内孔とを連通する貫通孔を形成してこの貫通孔の内周部に係合部を形成し、上記ブラシ保持具の上端部外周面に、上記貫通孔の係合部に回り止め状に係合する被係合部を形成し、上記筒体にブラシを取り付けた状態では、上記貫通孔の係合部にブラシ保持具の被係合部を係合させ、かつ上記ブラシ保持具の下端部を筒体の内孔の下端部内に収容して上記ブラシ保持具の下端部外周面を筒体の内孔の下端部内周面に密着させるとともに、上記ブラシ保持具の下端面と筒体の下端面とが略面一となるように構成し、上記筒体にチップを取り付けた状態では、上記筒体からチップの一部を外部に突出させ、上記筒体の内孔にチップの他部を固定するように構成したという構成をとる。
【０００７】
すなわち、本発明の棒状化粧料容器は、本体筒部と、上記本体筒部の先端開口部に上記本体筒部に対して相対回転自在に取り付けられる先筒部と、先端部に棒状化粧料保持部が形成され上記両筒部の内孔内に進退自在に配設される棒状体とを備えている。そして、上記本体筒部の底部から筒体を突設し、この筒体に、ブラシを保持するブラシ保持具もしくはチップを取り付け可能に構成している。また、上記ブラシを、ブラシ部と、このブラシ部を保持する保持棒とで構成し、上記ブラシ保持具に、その下端面から上方に向かって延びる孔部を形成し、この孔部に、保持棒を内嵌状に固定し、上記ブラシ保持具の下端面から外部に突出する上記保持棒の部分にブラシ部を保持し、上記本体筒部の底部に、本体筒部の内孔と筒体の内孔とを連通する貫通孔を形成してこの貫通孔の内周部に係合部を形成し、上記ブラシ保持具の上端部外周面に、上記貫通孔の係合部に回り止め状に係合する被係合部を形成している。そして、上記筒体にブラシを取り付けた状態では、上記貫通孔の係合部にブラシ保持具の被係合部を係合させ、かつ上記ブラシ保持具の下端部を筒体の内孔の下端部内に収容して上記ブラシ保持具の下端部外周面を筒体の内孔の下端部内周面に密着させるとともに、上記ブラシ保持具の下端面と筒体の下端面とが略面一となるように構成している。一方、上記筒体にチップを取り付けた状態では、上記筒体からチップの一部を外部に突出させ、上記筒体の内孔にチップの他部を固定するように構成している。
【０００８】
このように、本発明では、上記本体筒部の底部から突設した筒体に、ブラシを保持するブラシ保持具とチップとの双方を取り付け可能にしているため、チップ用の取り付け部とブラシ用の取り付け部との共通化を図ることができ、上記両取り付け部を別体に作製する必要がなくなる。
【０００９】
本発明において、上記棒状体が下死点に到達した状態で上記棒状体の底面に当接してこれを受け止めるストッパー部を上記本体筒部の底部に形成し、上記ストッパー部に貫通孔が形成されている場合には、上記ストッパー部を利用して、上記本体筒部にブラシ保持具を固定することができる。
【００１０】
【発明の実施の形態】
つぎに、本発明の実施の形態を図面にもとづいて詳しく説明する。
【００１１】
図１〜図３は本発明の棒状化粧料容器の一実施の形態を示している。これらの図において、１は本体筒部（図４参照）で、２は上記本体筒部１の先端開口部に上記本体筒部１に対して相対回転自在に取り付けられる先筒部（図５参照）で、３は先端部に保持部２６が形成され上記両筒部１，２の内孔１ａ，２ａ（図９および図２１参照）内に進退自在に配設される棒状体で、４は上記本体筒部１の内孔１ａ内に配設される筒体で、５は上記棒状体３の保持部２６に保持されるアイライナー（棒状化粧料）である。また、６は上記本体筒部１の後部に取り付けられるスポンジチップ（図６参照）で、７は上記スポンジチップ６を蓋するキャップであり、本体筒部１の後部に着脱自在に固定される。この実施の形態では、図８に示すように、スポンジチップ６に代えて、本体筒部１の後部にスクリュータイプのマスカラブラシ８（図７参照）を取り付けることができるようになっている。
【００１２】
より詳しく説明すると、上記本体筒部１は、円筒形状に形成されており、下側小径円筒部（筒体）９と上側大径円筒部１０とからなっている。また、上記本体筒部１の内孔１ａには、上記下側小径円筒部９に対応する部分に、小径上側内孔部９ａと大径下側内孔部９ｂとが形成されているとともに、上記上側大径円筒部１０に対応する部分に、小径下側内孔部１１と大径上側内孔部１２とが形成されている（図９参照）。
【００１３】
上記小径上側内孔部９ａと大径下側内孔部９ｂとは円筒形状に形成されているとともに、上記小径上側内孔部９ａには４つの傾斜状ガイド溝９ｃが等間隔をあけて形成されている（図１０および図１１参照）。これら各傾斜状ガイド溝９ｃは、上記小径上側内孔部９ａの上端部から下方に向かって外拡がり状に延びるテーパー面に形成されており、その下端面が上記大径下側内孔部９ｂの上端面に接続している。また、上記上側大径円筒部１０の下端開口部（すなわち、小径下側内孔部１１の下端開口部）には、中央貫通孔１０ａと、上記各傾斜状ガイド溝９ｃに対応する上記中央貫通孔１０ａの外周面の部分から外方に一直線状に延びる４つの係合用貫通孔１０ｂが穿設された（すなわち、略十字状に貫通孔１０ａ，１０ｂが穿設された）底壁１０ｃが形成されており、上記各係合用貫通孔１０ｂの外周縁が上記下側小径円筒部９の小径上側内孔部９ａの上端開口より外側にまで延びている（図１２参照）。これにより、上記底壁１０ｃの底部において、４つの係合用貫通孔１０ｂの外周縁の内側に段部（係合部）１０ｄが形成されている。図１０において、９ｄは上記下側小径円筒部９の外周面に形成された複数個（図１０では、１個しか図示せず。なお、図２〜図４，図８では図示せず）の凸部である。これら各凸部９ｄは、閉蓋時に、上記キャップ７（図３参照）の内周面に形成される凹部（図示せず）に着脱自在に係合している。
【００１４】
そして、上記下側小径円筒部９の大径下側内孔部９ｂの内周面にスポンジチップ６が接着剤等（図示せず）により接着固定されている（図１３参照）。
【００１５】
また、アイライナー５に代えて、アイブロー（棒状化粧料）５を棒状体３の保持部２６に保持する場合には、スポンジチップ６に代えて、上記下側小径円筒部９にマスカラブラシ８を、ブラシホルダー１３（図１４〜図１６参照）に固定した状態で、取り付けることができる。上記マスカラブラシ８は、スクリュータイプのマスカラブラシ部８ａと、このマスカラブラシ８を支受，固定する保持棒８ｂとからなる（図７参照）。一方、上記ブラシホルダー１３は、円筒形状に形成されており、その内孔には、上記マスカラブラシ８の保持棒８ｂを外嵌状に挿通，固定しうる小径下側内孔部１３ａと、大径上側内孔部１３ｂとが形成されている。また、上記ブラシホルダー１３の上端部には所定間隔をあけて４つの切り欠き部１３ｃが形成されており、これら各切り欠き部１３ｃで挟まれた上記ブラシホルダー１３の上端部の部分が弾性片部１４（これら各弾性片部１４は、上記各傾斜状ガイド溝９ｃでガイドしうる横幅に形成されている）に形成されている。また、これら各弾性片部１４の上端部の外周面に、上記底壁１０ｃの底部に設けた各段部１０ｄに係合しうる爪部（被係合部）１４ａが突設されている（図１７参照）。
【００１６】
また、上記上側大径円筒部１０の小径下側内孔部１１には、その上端面（すなわち、大径上側内孔部１２の下端面であって、小径下側内孔部１１と大径上側内孔部１２との円環状段部の上面）に下側ラチェット部１６が形成されている（図９参照）。
【００１７】
上記下側ラチェット部１６は、図１８および図１９に示すように、上記小径下側内孔部１１の上端面から上向に突設される８つの歯部１５からなり、それぞれ同形状の二等辺三角形に形成されている。これら各歯部１５の頂角αは鈍角（この実施の形態では、略１２６°）に形成されており、歯の高さは所定の高さｈ（この実施の形態では、略０．５ｍｍ）に形成されている。また、上記大径上側内孔部１２には、図２０に示すように、その上端部の内周面に大径部１２ａが形成されており、この大径部１２ａの中間高さ位置に円環状の溝１２ｂが形成されている。図１８および図１９において、１５ａは各歯部１５の頂部で、１５ｂは各歯部１５の底部である。
【００１８】
上記先筒部２は、図２１に示すように、上記本体筒部１の大径上側内孔部１２の上部に回転自在に内嵌される下側筒部１７と、上記内嵌時に上記本体筒部１から突出する上側筒部１８とからなり、上記下側筒部１７の上端部の外周面に、図２２に示すように、上記大径上側内孔部１２の大径部１２ａに回転自在に大径部１７ａおよび上記大径上側内孔部１２の溝１２ｂに回転自在に係合する円環状の凸条１７ｂが形成されている。図において、１９は上記下側筒部１７の上端部の外周面に形成された円環状溝であり、Ｏリング（図示せず）が収容，固定される。このＯリングは、上記相対回転時に、所定の抵抗を持たせる作用をする。
【００１９】
また、上記上側筒部１８の内孔（すなわち、先筒部２の内孔２ａ）は、上端部の小径円筒面部２１と、この小径円筒面部２１に続く円錐台面部２２と、この円錐台面部２２に続く大径円筒面部２３とからなり、この大径円筒面部２３に、相対峙する２本の突条２４が上記内孔２ａの軸芯方向に沿って上記大径円筒面部２３の全長に形成されている（図２１および図２３参照）。そして、上記大径円筒面部２３の内周部分であって、上記両突条２４間に形成される部分２３ａに、後述する棒状体３の保持部２６の各縦片２６ｂが摺動自在に係合し、上記両突条２４に、後述する棒状体３の切り欠き部２６ａ，縦溝２７が摺動自在に係合するようにして、棒状体３を先筒部２内に回動不能に、摺動自在にしている。
【００２０】
上記棒状体３（図２５〜図２７参照）の保持部２６は、円筒形状に形成された周側壁を、相対峙する２本の切り欠き部２６ａ（各切り欠き部２６ａの幅は、上記上側筒部１８の両突条２４の幅よりやや大きい）で上記棒状体３の軸芯方向に沿って切り欠いたもの、すなわち、一対の略半円弧状の縦片２６ｂで構成されており（図２８および図２９参照）、各縦片２６ｂが、上記大径円筒面部２３の内周部分の、上記両突条２４間に形成される部分２３ａに摺動自在に係合している。また、上記棒状体３の外周面には、上記両切り欠き部２６ａの下端部から下方に一直線状に延びる縦溝２７が、後述するねじ部２８まで形成されている（図２８および図３０参照。なお、図２８では、ねじ部２８の詳細は図示せず）。
【００２１】
また、上記棒状体３の下半部分（ただし、下端部を除く）の外周面には、後述する筒体４の内周面のねじ部３０にねじ結合（螺合）するねじ部２８が形成されている。このねじ部２８は、成形の都合上、上記棒状体３の下半部分の外周面に形成した連続ねじを、上記棒状体３の軸芯方向に沿って、相対峙する２箇所でカットした形状に形成されており、上記下半部分の外周面に上下に多段状に配設される各ねじ部２８の部分（上記両カット部間に形成された略半周ラセン突条のねじ部２８の部分）２８ａはそれぞそれ連続している（図２７および図３１参照）。また、上記棒状体３の下端部には、上記ねじ部２８より大径に形成された円柱形状のストッパー部２９が設けられている。
【００２２】
上記筒体４は、図３２〜図３４に示すように、円筒形状に形成されており、その内周面の下半部分には、４条ねじからなるねじ部３０が形成されている。このねじ部３０は、棒状体３のねじ部２８にねじ結合している。また、上記筒体４のねじ部２８は、上記本体筒部１の小径下側内孔部１１より大径に形成されており、これにより、上記小径下側内孔部１１の上端開口部に上記筒体４の下端が当接している。
【００２３】
また、上記筒体４には、その上端面から相対峙する状態で、上面が半円弧状に形成された一対の凸部３１が上向きに突設されている。また、上記筒体４の上端部には、上記両凸部３１の下側の部分に略四角形の第１切り欠き部（窓部）３２が形成されているとともに（図３５参照）、この第１切り欠き部３２の上辺と上記上端面とにわたって第２切り欠き部３３が形成されており、これら両切り欠き部３２，３３に挟まれた上記筒体４の上端部の部分（すなわち、第１切り欠き部３２の上側の部分）に、凸部３１を有する２組のばね片３４が形成されている。そして、これら両ばね片３４が、上記第１切り欠き部３２に撓みうるようにしている。また、上記両ばね片３４の凸部３１は、上記筒体４を本体筒部１の小径下側内孔部１１の上端面に当接した状態で、上記先筒部２の下側筒部１７の下端面に常時弾性を有して当接するようにしている。
【００２４】
また、上記筒体４の下端面には、上記本体筒部１の下側ラチェット部１６に係合する上側ラチェット部３７が形成されている。この上側ラチェット部３７は、図３６および図３７に示すように、上記下端面から下向きに突設される４つの歯部３８と、これら各歯部３８間に形成される平坦面３９とからなり、上記各歯部３８および各平坦面３９はそれぞれ、筒体４の周方向の長さが同じに形成され、等間隔おきに配設されている。また、上記各歯部３８は、それぞれ同形状の二等辺三角形であり、上記下側ラチェット部１６の各歯部１５と同じ形状に形成されている。すなわち、これら各歯部３８の頂角は鈍角（この実施の形態では、略１２６°）に形成されており、各歯部３８の高さは所定の高さ（この実施の形態では、略０．５ｍｍ）に形成されている。図３６および図３７において、３８ａは各歯部３８の頂部で、３８ｂは各歯部３８の底部であり、これら底部３８ｂ間に上記平坦面３９が形成されている。
【００２５】
上記構成において、棒状化粧料５を繰り出す（進出させる）場合には、本体筒部１を先筒部２に対して所定の方向に相対回転させる（例えば、本体筒部１に対し先筒部２を時計回り方向に回転させる）ことを行う。すると、本体筒部１の下側ラチェット部１６と筒体４の上側ラチェット３７とが係合しているため（図３８参照）、本体筒部１と筒体４とが共回りし、先筒部２の突条２４と棒状体３の縦溝２７が摺動自在に回動不能に係合しているため、先筒部２と棒状体３とが共回りし、これにより、筒体４のねじ部３０と棒状体３のねじ部２８とのねじ結合により、棒状体３が進出し、これに伴い、棒状化粧料５もに進出し、先筒部２の先端開口がら飛び出す。
【００２６】
そして、棒状体３のストッパー部２９の上面が筒体４の下端面に当接すると、棒状体３が最大進出位置になる（図３９参照）。この状態で、さらに上記相対回転を行うと、棒状体３のストッパー部２９が筒体４の下端面に当接しているため、回転不能の状態となり、この回転トルクは筒体４に伝達される。この回転トルクがある程度以上になると、筒体４の上側ラチェット３７の歯部３８は、本体筒部１の下側ラチェット部１６の歯部１５で押し上げられ（図４０参照）、筒体４は棒状体３とともに僅かに回転しながら歯部１５の山の高さ分先端側に移動する。また、この移動に伴い、筒体４のばね片３４の凸部３１は先筒部２の下側筒部１７の下端面に当接したまま、ばね片３４は筒体４の第１切り欠き部３２内に撓む（図３３の矢印Ａ参照）。このとき、上記両歯部１５，３８の噛み合い角度（この実施の形態では、略１２６°）と、筒体４のねじ部３０のねじ溝の（筒体４の軸芯方向に対する）傾斜角度とが略同じであるため、筒体４は棒状体３の外周部をスムーズに旋回する。そして、下側ラチェット部１６の歯部１５が上側ラチェット３７の歯部３８を乗り越える時に（図４０の一点鎖線参照）、カチッという音が鳴る。乗り越えたのち、上記ばね片３４の戻り弾性力で、筒体４が押し下げられ（図４１参照）、筒体４は棒状体３とともに僅かに回転しながら歯部１５の山の高さ分後端側に移動する。このような動作を、上記相対回転をしている間、繰り返すため、カチッ，カチッという音を鳴らしながら、本体筒部１と先筒部２とは空回りする。
【００２７】
一方、棒状化粧料５を収める（後退させる）場合には、本体筒部１を先筒部２に対して上記回転方向と逆方向に相対回転させることを行う。すると、上記と同様にして、棒状体３が棒状化粧料５とともに後退し、先筒部２内に引き入れられる。
【００２８】
そして、棒状体３が最大後退位置になると、棒状体３のストッパー部２９の下面が本体筒部１の底壁１３の上面に当接する。このとき、棒状体３のねじ部２８と筒体４のねじ部３０とはねじ結合している（図１参照）。この状態で、さらに上記逆方向の相対回転を行っても、棒状体３は後退しないため、上記と同様にして、カチッ，カチッという音を鳴らしながら、本体筒部１と先筒部２とは空回りする。
【００２９】
上記のように、この実施の形態では、本体筒部１の下側小径円筒部９にスポンジチップ６もしくは、マスカラブラシ８を保持するブラシホルダー１３を取り付けることができるため、１種類の本体筒部１を作製すればよい。しかも、棒状体３が最大進出位置もしくは最大後退位置にあり、さらに回転操作を続行した場合カチッ，カチッという音を鳴らしながら、本体筒部１と先筒部２とは空回りするため、この音を聞くことで、容器外から棒状体３が最大進出位置もしくは最大後退位置に到達したことが判る。また、このとき、上記本体筒部１と先筒部２とは空回りするため、本体筒部１，先筒部２，棒状体３および筒体４に無理な応力が働かず、破損等させることもない。
【００３０】
図４２および図４３は本発明の棒状化粧料容器の他の実施の形態を示している。この実施の形態では、図１および図２に示す実施の形態で用いる、筒体４に第２切り欠き部３３を形成していない。
【００３１】
それ以外の部分は図１および図２に示す実施の形態と同様であり、同様の部分には同じ符号を付している。この実施の形態でも、図１および図２に示す実施の形態と同様の作用・効果を示す。
【００３２】
【発明の効果】
以上のように、本発明の棒状化粧料容器によれば、本体筒部の底部から突設した筒体に、ブラシを保持するブラシ保持具とチップとの双方を取り付け可能にしているため、チップ用の取り付け部とブラシ用の取り付け部との共通化を図ることができ、上記両取り付け部を別体に作製する必要がなくなる。
【００３３】
本発明において、上記棒状体が下死点に到達した状態で上記棒状体の底面に当接してこれを受け止めるストッパー部を上記本体筒部の底部に形成し、上記ストッパー部に貫通孔が形成されている場合には、上記ストッパー部を利用して、上記本体筒部にブラシ保持具を固定することができる。
【図面の簡単な説明】
【図１】本発明の棒状化粧料容器の一実施の形態を示す正面図である。
【図２】スポンジチップを取り付けた棒状化粧料容器のキャップを取り外した状態を示す正面図である。
【図３】上記棒状化粧料容器の作用を説明するための断面図である。
【図４】本体筒部を示す正面図である。
【図５】先筒部を示す正面図である。
【図６】スポンジチップを示す正面図である。
【図７】マスカラブラシを示す正面図である。
【図８】マスカラブラシを取り付けた棒状化粧料容器のキャップを取り外した状態を示す正面図である。
【図９】上記本体筒部を示す断面図である。
【図１０】下側小径円筒部の要部を示す断面図である。
【図１１】上記下側小径円筒部の要部を示す断面図である。
【図１２】上記下側小径円筒部の要部を示す断面図である。
【図１３】上記下側小径円筒部にスポンジチップを固定した状態を示す断面図である。
【図１４】ブラシホルダーを示す断面図である。
【図１５】上記ブラシホルダーを示す正面図である。
【図１６】上記ブラシホルダーを示す平面図である。
【図１７】上記下側小径円筒部にブラシホルダーを固定した状態を示す断面図である。
【図１８】下側ラチェット部を示す平面図である。
【図１９】歯部の説明図である。
【図２０】上記本体筒部の要部を示す断面図である。
【図２１】上記先筒部を示す断面図である。
【図２２】上記先筒部の要部を示す断面図である。
【図２３】上記先筒部を示す平面図である。
【図２４】上記先筒部の要部を示す断面図である。
【図２５】棒状体を示す断面図である。
【図２６】上記棒状体を示す要部の断面図である。
【図２７】上記棒状体を示す正面図である。
【図２８】上記棒状体の要部を示す側面図である。
【図２９】保持部の説明図である。
【図３０】上記棒状体の要部を示す断面図である。
【図３１】ねじ部の説明図である。
【図３２】筒体を示す正面図である。
【図３３】上記筒体を示す断面図である。
【図３４】上記筒体を示す平面図である。
【図３５】上記筒体の要部を示す断面図である。
【図３６】上側ラチェット部を示す平面図である。
【図３７】歯部の説明図である。
【図３８】上下両ラチェット部の歯部の作用を示す説明図である。
【図３９】上記棒状化粧料容器の作用を説明するための断面図である。
【図４０】上下両ラチェット部の歯部の作用を示す説明図である。
【図４１】上下両ラチェット部の歯部の作用を示す説明図である。
【図４２】本発明の棒状化粧料容器の他の実施の形態に用いる筒体の正面図である。
【図４３】上記筒体の断面図である。
【図４４】従来の棒状化粧料容器を示す断面図である。
【符号の説明】
１  本体筒部
２  先筒部
６  スポンジチップ
９  下側小径円筒部
【図１】
0004111741.tif 000002
【図２】
0004111741.tif 000003
【図３】
0004111741.tif 000004
【図４】
0004111741.tif 000005
【図５】
0004111741.tif 000006
【図６】
0004111741.tif 000007
【図７】
0004111741.tif 000008
【図８】
0004111741.tif 000009
【図９】
0004111741.tif 000010
【図１０】
0004111741.tif 000011
【図１１】
0004111741.tif 000012
【図１２】
0004111741.tif 000013
【図１３】
0004111741.tif 000014
【図１４】
0004111741.tif 000015
【図１５】
0004111741.tif 000016
【図１６】
0004111741.tif 000017
【図１７】
0004111741.tif 000018
【図１８】
0004111741.tif 000019
【図１９】
0004111741.tif 000020
【図２０】
0004111741.tif 000021
【図２１】
0004111741.tif 000022
【図２２】
0004111741.tif 000023
【図２３】
0004111741.tif 000024
【図２４】
0004111741.tif 000025
【図２５】
0004111741.tif 000026
【図２６】
0004111741.tif 000027
【図２７】
0004111741.tif 000028
【図２８】
0004111741.tif 000029
【図２９】
0004111741.tif 000030
【図３０】
0004111741.tif 000031
【図３１】
0004111741.tif 000032
【図３２】
0004111741.tif 000033
【図３３】
0004111741.tif 000034
【図３４】
0004111741.tif 000035
【図３５】
0004111741.tif 000036
【図３６】
0004111741.tif 000037
【図３７】
0004111741.tif 000038
【図３８】
0004111741.tif 000039
【図３９】
0004111741.tif 000040
【図４０】
0004111741.tif 000041
【図４１】
0004111741.tif 000042
【図４２】
0004111741.tif 000043
【図４３】
0004111741.tif 000044
【図４４】
0004111741.tif 000045